(57)【要約】【課題】より効率的に光を照射できる照明器具を提供する。【解決手段】実施形態によれば、照明本体と、支持部と、を備えた照明器具が提供される。照明本体は、光を出射する照射窓と、照射窓と反対側に設けられた放熱体と、を有する。支持部は、筒状の第１枠体を有し、第１枠体に挿通した状態で回転軸を中心として照明本体を回転自在に支持する。回転軸は、前記中心軸と前記中心軸に対して垂直な第１方向とに対してそれぞれ垂直な第２方向に前記中心軸から離間して、前記第１方向に延びる。前記支持部は、光の光軸と中心軸とを平行にした第１位置と、中心軸に対して光軸を傾斜させ放熱体の一部及び照射窓を第１枠体の一端から第１枠体の外側に突出させた第２位置と、に照明本体を移動可能とする。【選択図】図１
2014130757.tif 000002
【特許請求の範囲】
【請求項１】
光を出射する照射窓と、前記照射窓と反対側に設けられた放熱体と、を有する照明本体と、
筒状の第１枠体を有し、前記第１枠体に挿通した状態の前記照明本体を回転軸を中心として回転自在に支持する支持部と、
を備え、
前記回転軸は、前記中心軸と前記中心軸に対して垂直な第１方向とに対してそれぞれ垂直な第２方向に前記中心軸から離間して、前記第１方向に延び、
前記支持部は、前記光の光軸と前記中心軸とを平行にした第１位置と、前記中心軸に対して前記光軸を傾斜させ前記放熱体の一部及び前記照射窓を前記第１枠体の一端から前記第１枠体の外側に突出させた第２位置と、に前記照明本体を移動可能とし、
前記放熱体は、
前記光軸に対して平行な方向に延びるとともに前記回転軸に対して垂直な方向に延び、前記回転軸に対して平行な方向に並んだ複数の放熱フィンと、
前記放熱体の前記一部において前記複数の放熱フィンのそれぞれの一部同士を連続させた連続部と、
を有する照明器具。
【請求項２】
前記支持部は、前記第１枠体を挿通可能な筒状の第２枠体をさらに有し、
前記第２枠体は、挿通された前記第１枠体を前記第２枠体の中心軸を中心に回転自在に支持する請求項１記載の照明器具。
【請求項３】
前記複数の放熱フィンのそれぞれの端部は、前記第１枠体の他端から前記第１枠体及び前記第２枠体の外側に突出し、
前記複数の放熱フィンのそれぞれの前記光軸に沿う長さは、前記回転軸に対して垂直で且つ前記回転軸から前記光軸に向かう方向において減少し、
前記複数の放熱フィンのそれぞれは、前記照明本体が前記第１位置に位置するときでも前記第２位置に位置するときでも、前記第２枠体の中心軸に対して垂直な方向において前記第２枠体の外側面よりも内側に位置する請求項２記載の照明器具。
【請求項４】
前記複数の放熱フィンのそれぞれは、前記照明本体が前記第２位置に位置するときに、前記第１枠体に接触しない請求項３記載の照明器具。
【発明の詳細な説明】
【技術分野】
【０００１】
本発明の実施形態は、照明器具に関する。
【背景技術】
【０００２】
ユニバーサルタイプの照明器具がある。ユニバーサルタイプの照明器具は、例えば、天井などの取付面に対して垂直な垂直方向と光軸とを平行にした状態と、垂直方向に対して光軸を傾けた状態と、を任意に選択できる。すなわち、ユニバーサルタイプの照明器具では、光の照射方向を変化させることができる。こうした照明器具において、光軸を傾けた状態のときに、照射光の一部が、器具自体や天井板などによって遮られる場合がある。
【先行技術文献】
【特許文献】
【０００３】
【特許文献１】国際公開第２０１２／０２６４２０号
【発明の概要】
【発明が解決しようとする課題】
【０００４】
本発明の実施形態は、より効率的に光を照射できる照明器具を提供する。
【課題を解決するための手段】
【０００５】
本発明の実施形態によれば、照明本体と、支持部と、を備えた照明器具が提供される。前記照明本体は、光を出射する照射窓と、前記照射窓と反対側に設けられた放熱体と、を有する。前記支持部は、筒状の第１枠体を有し、前記第１枠体に挿通した状態で前記照明本体を回転軸を中心として回転自在に支持する。前記回転軸は、前記中心軸と前記中心軸に対して垂直な第１方向とに対してそれぞれ垂直な第２方向に前記中心軸から離間して、前記第１方向に延びる。前記支持部は、前記光の光軸と前記中心軸とを平行にした第１位置と、前記中心軸に対して前記光軸を傾斜させ前記放熱体の一部及び前記照射窓を前記第１枠体の一端から前記第１枠体の外側に突出させた第２位置と、に前記照明本体を移動可能とする。前記放熱体は、前記光軸に対して平行な方向に延びるとともに前記回転軸に対して垂直な方向に延び、前記回転軸に対して平行な方向に並んだ複数の放熱フィンと、前記放熱体の前記一部において前記複数の放熱フィンのそれぞれの一部同士を連続させた連続部と、を有する。
【発明の効果】
【０００６】
効率的に光を照射できる照明器具が提供される。
【図面の簡単な説明】
【０００７】
【図１】実施形態に係る照明器具を表す模式的斜視図である。
【図２】図２（ａ）及び図２（ｂ）は、実施形態に係る照明器具の一部を表す模式的側面図である。
【図３】図３（ａ）〜図３（ｃ）は、実施形態にかかる第１枠体を表す模式図である。
【図４】実施形態に係る第２枠体を表す模式図である。
【図５】実施形態に係る第１枠体及び第２枠体を表す模式的断面図である。
【図６】実施形態に係る第１枠体の一部及び第２枠体の一部を表す模式的斜視図である。
【図７】実施形態に係る第１枠体の一部及び第２枠体の一部を表す模式的斜視図である。
【図８】図８（ａ）及び図８（ｂ）は、実施形態に係る第１枠体の一部及び第２枠体の一部を表す模式的上面図である。
【図９】実施形態に係る照明本体を表す模式的分解斜視図である。
【図１０】実施形態に係る照明本体を表す模式的部分断面図である。
【図１１】実施形態に係る第１枠体及び保持枠を表す模式的断面図である。
【図１２】図１２（ａ）及び図１２（ｂ）は、実施形態に係る放熱体を表す模式図である。
【図１３】実施形態に係るフィルタを表す模式的斜視図である。
【図１４】図１４（ａ）及び図１４（ｂ）は、実施形態に係る保持枠を表す模式的斜視図である。
【発明を実施するための形態】
【０００８】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
図１は、実施形態に係る照明器具を表す模式的斜視図である。  
図１に表したように、照明器具１０は、対象物に向けて光を照射する照明本体１２と、照明本体１２を支持する支持部１４と、を備える。
【００１０】
照明本体１２は、内部に光源を保持する。照明本体１２は、光源から発せられた光（以下、照射光と称す）を出射するための照射窓１２ａを有する。照射光は、照射窓１２ａを介して照明本体１２の外部に出射する。これにより、照射光が、対象物に照射される。
【００１１】
照明本体１２は、例えば、放熱体２０と、保持枠２１と、を有する。放熱体２０は、例えば、光源の発光にともなって発生する熱の放熱を行う。放熱体２０には、例えば、アルミニウムなどの熱伝導率の高い金属材料が用いられる。保持枠２１は、放熱体２０や内部に設けられるレンズなどを保持する。保持枠２１は、例えば、筒状である。この例において、保持枠２１は、円筒状である。この例では、保持枠２１の一端が、照射窓１２ａとなる。放熱体２０は、保持枠２１の他端に取り付けられる。すなわち、放熱体２０は、照射窓１２ａと反対側に設けられる。
【００１２】
支持部１４は、照明本体１２の支持に用いられるとともに、天井板などの取付対象に照明器具１０を取り付けるために用いられる。照明器具１０は、例えば、照射窓１２ａを下方に向けた状態で天井板に取り付けられる。照明器具１０は、例えば、天井板に設けられた埋込穴に埋め込まれる。すなわち、照明器具１０は、いわゆるダウンライトとして用いられる。以下では、照明器具１０をダウンライトとして用いる場合を例に説明を行う。但し、照明器具１０の取付対象は、天井板に限ることなく、例えば、内壁板などでもよい。また、例えば、専用の取付治具に照明器具１０を取り付け、取付治具を介して照明器具１０を天井などに取り付けてもよい。すなわち、照明器具１０の取付対象は、取付治具などでもよい。
【００１３】
支持部１４は、第１枠体４１と、第２枠体４２と、を有する。第１枠体４１及び第２枠体４２は、筒状である。この例において、第１枠体４１及び第２枠体４２は、円筒状である。支持部１４は、第１枠体４１に挿通した状態で照明本体１２を回転自在に支持する。第１枠体４１は、挿通された照明本体１２を回転自在に支持する。この例では、第１枠体４１が、保持枠２１を回転自在に支持する。第１枠体４１及び第２枠体４２は、円筒状に限ることなく、例えば、角筒状など筒状の任意の形状でよい。
【００１４】
図２（ａ）及び図２（ｂ）は、実施形態に係る照明器具の一部を表す模式的側面図である。  
図２（ａ）及び図２（ｂ）は、照明本体１２と第１枠体４１とを示している。また、図２（ａ）及び図２（ｂ）では、支持された照明本体１２を見易くするために、第１枠体４１を切断した状態で図示している。  
図２（ａ）及び図２（ｂ）に表したように、第１枠体４１は、回転軸ＲＡを中心に照明本体１２を回転させる。回転軸ＲＡは、第１枠体４１の第１中心軸ＣＡ１に対して垂直な第１方向に延びる。また、回転軸ＲＡは、第１中心軸ＣＡ１と第１方向とに対して垂直な第２方向において、第１中心軸ＣＡ１から離間する。第１中心軸ＣＡ１は、例えば、筒状の第１枠体４１の延在する方向と平行で、この延在方向に対して垂直な断面の中心を通る軸である。以下では、回転軸ＲＡを中心とする照明本体１２の回転の方向を、「第１回転方向ＲＤ１」と称す。
【００１５】
ここで、第１中心軸ＣＡ１と平行な方向をＺ軸方向とする。Ｚ軸方向に対して垂直な１つの方向をＸ軸方向とする。Ｚ軸方向とＸ軸方向とに対して垂直な方向をＹ軸方向とする。この例において、第１方向は、Ｘ軸方向であり、第２方向は、Ｙ軸方向である。すなわち、この例において、回転軸ＲＡは、Ｘ軸方向に延び、Ｙ軸方向において第１中心軸ＣＡ１から離間する。
【００１６】
第１枠体４１は、照明本体１２を第１回転方向ＲＤ１に回転させることにより、図２（ａ）に表した第１位置と、図２（ｂ）に表した第２位置と、に照明本体１２を移動可能とする。第１位置では、照射光の光軸ＯＡが、第１中心軸ＣＡ１と平行である。一方、第２位置では、照射光の光軸ＯＡが、第１中心軸ＣＡ１に対して傾斜する。これにより、照明器具１０では、照射光の照射される方向を変化させることができる。すなわち、照明器具１０は、いわゆるユニバーサルタイプの照明器具である。光軸ＯＡは、例えば、照射窓１２ａから照射される光束の中心を通る軸である。
【００１７】
また、第１枠体４１は、照明本体１２を第２位置に位置させた際に、放熱体２０の一部２０ｐ及び照射窓１２ａを第１枠体４１の一端４１ａから第１枠体４１の外側に突出させる。一端４１ａは、第１枠体４１の２つの端部において、第１位置にある照明本体１２の照射窓１２ａと同じ方向を向く端部である。この例では、第２位置において、照射窓１２ａの全部が、一端４１ａから第１枠体４１の外側に突出する。例えば、一端４１ａが、天井に対して下方を向く下端である場合、第１枠体４１は、放熱体２０の一部２０ｐ及び照射窓１２ａを第１枠体４１の一端４１ａよりも下に配置する。
【００１８】
これにより、照明器具１０では、第１中心軸ＣＡ１に対して光軸ＯＡを傾斜させたときにも、器具自体や天井板などの取付対象によって、照射光が遮られてしまうことを抑えることができる。
【００１９】
第２枠体４２は、第１枠体４１を挿通可能な筒状の本体部４２ｍを有する。第２枠体４２の本体部４２ｍの内径は、第１枠体４１の外径よりも大きい。第２枠体４２は、本体部４２ｍに挿通された第１枠体４１を本体部４２ｍの第２中心軸ＣＡ２を中心に回転自在に支持する。これにより、照明器具１０では、回転軸ＲＡを中心に照明本体１２を回転させるとともに、第２中心軸ＣＡ２を中心に第１枠体４１及び照明本体１２を回転させることにより、照射光を任意の方向に向けることができる。第２中心軸ＣＡ２は、例えば、本体部４２ｍの延在する方向と平行で、この延在方向に対して垂直な断面の中心を通る軸である。以下では、第２中心軸ＣＡ２を中心とする第１枠体４１及び照明本体１２の回転の方向を、「第２回転方向ＲＤ２」と称す。
【００２０】
本体部４２ｍは、例えば、第１枠体４１を同軸に支持する。すなわち、この例において、本体部４２ｍの第２中心軸ＣＡ２は、第１枠体４１の第１中心軸ＣＡ１と実質的に同じである。第２中心軸ＣＡ２は、第１中心軸ＣＡ１と必ずしも同じでなくてもよい。
【００２１】
図３（ａ）〜図３（ｃ）は、実施形態にかかる第１枠体を表す模式図である。  
図３（ａ）は、模式的斜視図であり、図３（ｂ）は、模式的右側面図であり、図３（ｃ）は、模式的左側面図である。  
図３（ａ）〜図３（ｃ）に表したように、第１枠体４１の内側面４１ｎには、中心方向に向かって突出する一対の軸受け部５１、５２が設けられている。軸受け部５１には、Ｘ軸方向に沿って延びる貫通孔５１ａが設けられている。軸受け部５２にも、同様に、Ｘ軸方向に沿って延びる貫通孔５２ａが設けられている。貫通孔５２ａは、Ｘ軸方向において貫通孔５１ａと連続する位置に設けられる。貫通孔５２ａの直径は、貫通孔５１ａの直径と実質的に同じである。これにより、軸受け部５１、５２の貫通孔５１ａ、５２ａによって、第１中心軸ＣＡ１からＹ軸方向に離間した位置に、回転軸ＲＡが設定される。
【００２２】
この例では、第１中心軸ＣＡ１と回転軸ＲＡとの間のＹ軸方向に沿う距離が、第１枠体４１の内径の半径よりも短い。これにより、例えば、第２位置において、照射窓１２ａの全部を適切に第１枠体４１の一端４１ａから第１枠体４１の外部に突出させることができる。また、例えば、第１位置において、光軸ＯＡの位置を第１中心軸ＣＡ１の位置と実質的に同じとすることができる。すなわち、第１位置において、第１枠体４１の中心に照明本体１２を配置することができる。これにより、例えば、照明器具１０の外観を向上させることができる。
【００２３】
また、第１枠体４１には、突起４１ｐが設けられている。突起４１ｐは、第１枠体４１の外側面４１ｇから外側に向かって突出する。突起４１ｐは、第１枠体４１の第２回転方向ＲＤ２の回転の規制に用いられる。
【００２４】
図４は、実施形態に係る第２枠体を表す模式図である。  
第２枠体４２には、フランジ部６０と、複数のバネ取付部６１と、が設けられている。フランジ部６０は、本体部４２ｍの一端に設けられる。フランジ部６０は、本体部４２ｍの一端の外側面４２ｇから外側に向かって突出する。複数のバネ取付部６１は、例えば、第２中心軸ＣＡ２を軸とする軸回りに等間隔に配置される。この例では、３つのバネ取付部６１が、第２枠体４２に設けられている。バネ取付部６１の数は、３つに限ることなく、２つ以上の任意の数でよい。複数のバネ取付部６１のそれぞれには、図示を省略した取付バネが取り付けられる。取付バネは、例えば、板バネ状やトーションバネ状である。
【００２５】
照明器具１０を天井に設置にする場合には、埋込穴を天井板に予め設ける。このとき、埋込穴の直径は、本体部４２ｍの外径よりも大きく、フランジ部６０の直径よりも小さくする。照明器具１０は、照射窓１２ａを室内側に向けた状態で、室内側から第２枠体４２を埋込穴に挿通し、フランジ部６０の上面６０ｕを天井板に当接させる。そして、フランジ部６０と取付バネとで天井板を挟む。これにより、照明器具１０が、天井板に取り付けられる。フランジ部６０の下面側は、天井に露呈される。第２枠体４２は、埋込穴などを覆い隠す化粧枠としても機能する。
【００２６】
図５は、実施形態に係る第１枠体及び第２枠体を表す模式的断面図である。  
図４及び図５に表したように、第２枠体４２には、リブ６２が設けられている。リブ６２は、本体部４２ｍのフランジ部６０と同じ側に設けられる。リブ６２は、第２枠体４２の内側面４２ｎから中心方向に向かって突出する。リブ６２の設けられている部分の本体部４２ｍの内径は、第１枠体４１の外径よりも小さい。これにより、第２枠体４２に挿通された第１枠体４１が、リブ６２に当接し、第２枠体４２からの抜けが抑制される。この例では、環状の１つのリブ６２が設けられている。これに限ることなく、例えば、複数のリブ６２を第２中心軸ＣＡ２を軸とする軸周りに等間隔に設けてもよい。
【００２７】
図６は、実施形態に係る第１枠体の一部及び第２枠体の一部を表す模式的斜視図である。  
図１及び図６に表したように、各バネ取付部６１には、抜け止め部材４３が取り付けられる。抜け止め部材４３は、第１枠体４１の第２枠体４２からの抜けを抑制する。また、抜け止め部材４３は、図６に表したように、例えば、取付バネがトーションバネ６３である場合に、トーションバネ６３のバネ取付部６１からの抜けを抑制する。
【００２８】
抜け止め部材４３は、例えば、ネジ止めによってバネ取付部６１に取り付けられる。抜け止め部材４３には、例えば、金属材料が用いられる。抜け止め部材４３は、例えば、金属板を折り曲げることで形成される。
【００２９】
抜け止め部材４３は、トーションバネ６３を押さえるバネ押さえ部４３ａと、第１枠体４１を押さえる一対の枠体押さえ部４３ｂ、４３ｃと、を有する。
【００３０】
トーションバネ６３は、バネ取付部６１に設けられた溝に一端を挿通することにより、バネ取付部６１に取り付けられる。抜け止め部材４３は、バネ取付部６１に取り付けられた状態のおいて、バネ取付部６１に取り付けられたトーションバネ６３のコイル部分にバネ押さえ部４３ａを当接させる。これにより、バネ取付部６１とバネ押さえ部４３ａとによってトーションバネ６３のコイル部分が挟まれ、トーションバネ６３が、バネ取付部６１に保持される。
【００３１】
枠体押さえ部４３ｂ、４３ｃは、バネ取付部６１に取り付けられた状態で第２枠体４２の内側面４２ｎよりも内側に入り込み、第２枠体４２に挿通された第１枠体４１の一端４１ｂ（他端）に当接する。枠体押さえ部４３ｂ、４３ｃは、例えば、第１枠体４１の一端４１ｂとの当接によって弾性変形し、第１枠体４１をリブ６２に押し付ける。これにより、抜け止め部材４３とリブ６２とによって第１枠体４１が挟まれ、第１枠体４１の第２枠体４２からの抜けが抑制される。これにより、第１枠体４１が、第２回転方向ＲＤ２に回転自在に第２枠体４２に支持される。
【００３２】
なお、この例では、抜け止め部材４３にトーションバネ６３の抜け止めの機能と第１枠体４１の抜け止めの機能とを持たせている。これに限ることなく、トーションバネ６３の抜け止め用の部材と、第１枠体４１の抜け止め用の部材と、を第２枠体４２に取り付けてもよい。
【００３３】
図７は、実施形態に係る第１枠体の一部及び第２枠体の一部を表す模式的斜視図である。  
図８（ａ）及び図８（ｂ）は、実施形態に係る第１枠体の一部及び第２枠体の一部を表す模式的上面図である。  
図４、図７、図８（ａ）及び図８（ｂ）に表したように、第２枠体４２には、回転止め部材４４を取り付けるための回転止め取付部６６が設けられている。回転止め部材４４は、第１枠体４１の第２回転方向ＲＤ２の回転を所定量以下に規制する。
【００３４】
回転止め取付部６６には、一対の突起６７、６８が設けられている。突起６７は、第２中心軸ＣＡ２を中心とする円の円周方向に沿って延びる延在部６７ａを有する。突起６８も同様に、第２中心軸ＣＡ２を中心とする円の円周方向に沿って延びる延在部６８ａを有する。突起６８の延在部６８ａは、突起６７の延在部６７ａに対して反対方向に延びる。回転止め取付部６６には、ネジ穴６６ａが設けられる。回転止め部材４４は、ネジ穴６６ａに対応するネジ４５によって回転止め取付部６６に取り付けられる。
【００３５】
回転止め部材４４は、本体部４４ａと、係合部４４ｂと、枠体押さえ部４４ｃと、を有する。回転止め部材４４には、例えば、金属材料が用いられる。係合部４４ｂ及び枠体押さえ部４４ｃは、例えば、金属板を折り曲げることで形成される。本体部４４ａには、長孔４４ｈが設けられている。長孔４４ｈは、突起６７、６８を挿通可能に形成される。
【００３６】
本体部４４ａの厚さは、突起６７、６８の高さよりも薄い。長孔４４ｈの長さは、突起６７の延在部６７ａの先端から突起６８の延在部６８ａの先端までの長さよりも長い。また、長孔４４ｈの幅は、突起６７、６８の幅よりも広く、ネジ４５の頭部の直径よりも狭い。回転止め部材４４は、突起６７、６８を長孔４４ｈに通した状態で、回転止め取付部６６に取り付けられる。そして、回転止め部材４４は、ネジ４５によって突起６７、６８からの抜けが抑制される。これにより、回転止め部材４４は、長孔４４ｈの範囲で第２中心軸ＣＡ２を中心とする円の円周方向に移動自在に回転止め取付部６６に取り付けられる。なお、回転止め取付部６６に設けられる突起の数は、２つに限ることなく、１つでもよいし、３つ以上でもよい。
【００３７】
係合部４４ｂは、回転止め部材４４を回転止め取付部６６に取り付けた状態において、第１枠体４１の外側面４１ｇに設けられた突起４１ｐの移動経路内に侵入する。係合部４４ｂは、突起４１ｐに係合し、第１枠体４１の第２回転方向ＲＤ２の回転を所定量以下に規制する。これにより、例えば、光源と外部の電源などとを電気的に接続するための配線の捩れを抑制することができる。
【００３８】
また、回転止め部材４４は、突起４１ｐと係合部４４ｂとが係合した際に、突起６７、６８に沿って円周方向に移動する。回転止め部材４４は、第１枠体４１の第２回転方向ＲＤ２の一方の向きの回転を規制する第１規制位置（図８（ａ）に表した位置）と、第１枠体４１の第２回転方向ＲＤ２の他方の向きの回転を規制する第２規制位置（図８（ｂ）に表した位置）と、に移動する。
【００３９】
これにより、例えば、第１枠体４１の第２回転方向ＲＤ２の回転量を３６０°以上にすることができる。例えば、第１枠体４１の第２回転方向ＲＤ２の回転量を３６５°や３７０°など、任意に設定できる。これにより、回転を規制して配線の捩れなどを抑制しつつ、照明光を任意の方向に向けることができる。例えば、照明器具１０を天井などに取り付ける際の向きの制約がなくなり、照明器具１０の取り付け作業を容易にすることができる。
【００４０】
枠体押さえ部４４ｃは、例えば、回転止め取付部６６に取り付けられた状態で第２枠体４２の内側面４２ｎよりも内側に入り込み、第２枠体４２に挿通された第１枠体４１の一端４１ｂに当接する。枠体押さえ部４４ｃは、例えば、第１枠体４１の一端４１ｂとの当接によって弾性変形し、第１枠体４１をリブ６２に押し付ける。すなわち、回転止め部材４４は、第１枠体４１の抜け止めとしても機能する。枠体押さえ部４４ｃは、必要に応じて設けられ、省略可能である。回転止め部材４４は、第１枠体４１の抜け止めの機能を必ずしも有しなくてもよい。
【００４１】
なお、枠体押さえ部４４ｃの長さ及び枠体押さえ部４３ｂ、４３ｃの長さは、突起４１ｐの外側面４１ｇからの突出量よりも長い。すなわち、枠体押さえ部４４ｃ及び枠体押さえ部４３ｂ、４３ｃは、突起４１ｐの移動経路から退避している。
【００４２】
図９は、実施形態に係る照明本体を表す模式的分解斜視図である。  
図９に表したように、照明本体１２は、放熱体２０と、保持枠２１と、を有するとともに、基板２２と、レンズユニット２３と、を有する。基板２２の表面２２ａには、複数の光源２５が実装されている。複数の光源２５は、例えば、同心円状に並べて配置される。基板２２には、図示を省略した配線が接続され、配線を介して外部から電力が供給される。これにより、外部からの電力供給に応じて、複数の光源２５が発光する。
【００４３】
光源２５には、例えば、発光ダイオード（Light Emitting Diode：ＬＥＤ）が用いられる。光源２５は、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでもよい。
【００４４】
放熱体２０には、基板２２を取り付けるための取付面２０ａが設けられている。取付面２０ａの面積は、基板２２の表面２２ａの面積と同程度か、僅かに大きい。基板２２は、例えば、放熱シートなどを介して放熱体２０の取付面２０ａに貼り付けられる。これにより、基板２２が、放熱体２０に保持される。例えば、各光源２５の発光にともなって発生する熱が、放熱体２０によって放熱される。例えば、各光源２５への熱の影響を抑えることができる。
【００４５】
この例では、基板２２が、放熱体２０に貼り付けられる構成であるが、例えば、基板２２や各光源２５などが、放熱体２０に対して着脱自在に取り付けられるようにしてもよい。各光源２５は、照明器具１０に対して交換可能としてもよい。
【００４６】
レンズユニット２３には、例えば、光学ガラスや光学プラスチックなどが用いられる。レンズユニット２３は、光源２５から発せられた光に対して光透過性を有する。レンズユニット２３は、例えば、透明である。レンズユニット２３は、例えば、円筒状の筒部２３ａと、筒部２３ａの一端を塞ぐ底部２３ｂと、を有する。レンズユニット２３には、複数のレンズ２６が設けられている。複数のレンズ２６は、複数の光源２５に対応して設けられる。各レンズ２６は、底部２３ｂの内側の面に配置される。各レンズ２６は、例えば、半球状または円錐状である。各レンズ２６の頂点部分には、各光源２５を覆う凹部２６ａが設けられている。レンズ２６は、例えば、光源２５から発せられた光を集光し、光の照射効率を向上させる。前述のように、保持枠２１は、円筒状である。レンズユニット２３は、保持枠２１の内部に嵌り、保持枠２１に保持される。
【００４７】
図１０は、実施形態に係る照明本体を表す模式的部分断面図である。  
図１０に表したように、保持枠２１の内側面には、内径を変化させる段差部２１ｄが設けられている。保持枠２１の内側面のうちの段差部２１ｄと後端２１ｂとの間の部分２１ｎの内径は、レンズユニット２３の外径と実質的に同じである。後端２１ｂは、照射窓１２ａとなる端部と反対側の端部である。一方、段差部２１ｄの部分の保持枠２１の内径は、レンズユニット２３の外径よりも狭い。これにより、保持枠２１に挿通されたレンズユニット２３は、段差部２１ｄに当接し、保持枠２１からの抜けが抑制される。
【００４８】
保持枠２１の後端２１ｂには、放熱体２０が取り付けられる。保持枠２１内に挿通されたレンズユニット２３は、保持枠２１と放熱体２０とに挟まれた状態で保持される。保持枠２１の光軸ＯＡに沿う長さ、及び、レンズユニット２３の光軸ＯＡに沿う長さは、例えば、レンズ２６の光軸ＯＡに沿う長さに応じて決められる。レンズユニット２３は、各光源２５と各レンズ２６との位置が決められた状態で、保持枠２１内に保持される。
【００４９】
保持枠２１の内側面の段差部２１ｄと照射窓１２ａとの間の部分２１ｔは、段差部２１ｄから照射窓１２ａに向かって内径が連続的に大きくなるテーパ面である。保持枠２１の内側面の部分２１ｔには、フィルタを着脱自在に取り付けるための複数のフィルタ取付部２１ｆが設けられている。この例では、２つのフィルタ取付部２１ｆが設けられている。２つのフィルタ取付部２１ｆは、光軸ＯＡを挟んで互いに対称となる位置に設けられている。フィルタ取付部２１ｆの数は、３つ以上でもよい。
【００５０】
図１１は、実施形態に係る第１枠体及び保持枠を表す模式的断面図である。  
図９及び図１１に表したように、保持枠２１の外側面２１ｇには、円柱状に隆起したヒンジ部２７が設けられている。ヒンジ部２７は、光軸ＯＡに対して垂直な方向に延びる。ヒンジ部２７は、例えば、Ｙ軸方向に隆起し、Ｘ軸方向に延びる。ヒンジ部２７の両端には、ヒンジ部２７の延在方向に延びる円柱状の取付穴２７ａ、２７ｂが設けられている。ヒンジ部２７のＸ軸方向に沿う長さは、第１枠体４１の一対の軸受け部５１、５２の間のＸ軸方向に沿う距離に応じて決められている。ヒンジ部２７は、軸受け部５１、５２の間に入り込み、取付穴２７ａを貫通孔５１ａと対面させるとともに、取付穴２７ｂを貫通孔５２ａと対面させる。
【００５１】
取付穴２７ａ及び貫通孔５１ａには、シャフト２８ａが挿通される。取付穴２７ｂ及び貫通孔５２ａには、シャフト２８ｂが挿通される。これにより、保持枠２１が、第１回転方向ＲＤ１に回転自在に第１枠体４１に支持される。シャフト２８ａ、２８ｂには、例えば、平頭ネジが用いられる。
【００５２】
図１２（ａ）及び図１２（ｂ）は、実施形態に係る放熱体を表す模式図である。  
図１２（ａ）は、模式的斜視図であり、図１２（ｂ）は、模式的断面図である。  
図１２（ａ）及び図１２（ｂ）に表したように、放熱体２０には、平板状の複数の放熱フィン３１〜３７と、連続部３８と、が設けられている。この例では、７枚の放熱フィン３１〜３７が設けられている。
【００５３】
各放熱フィン３１〜３７は、光軸ＯＡと平行な方向に延びる。各放熱フィン３１〜３７は、照明本体１２が第１枠体４１に支持された状態において、回転軸ＲＡに対して垂直な方向に延びる（図２（ａ）及び図２（ｂ）参照）。そして、各放熱フィン３１〜３７は、回転軸ＲＡに対して平行な方向に並ぶ。すなわち、この例において、各放熱フィン３１〜３７は、Ｙ−Ｚ平面に対して平行な方向に延び、Ｘ軸方向に並ぶ。このように、複数の放熱フィン３１〜３７を放熱体２０に設けることにより、例えば、放熱体２０の表面積が増え、放熱体２０の放熱効率を高めることができる。なお、放熱体２０に設けられる放熱フィン３１〜３７の枚数は、７枚に限ることなく、２枚以上の任意の数でよい。
【００５４】
連続部３８は、照明本体１２が第２位置に位置するときに露呈される一部２０ｐにおいて、各放熱フィン３１〜３７のそれぞれの一部同士を連続させた部分である。連続部３８は、例えば、一部２０ｐを曲面とする。これにより、連続部３８は、照明本体１２を第２位置に位置させたときに、各放熱フィン３１〜３７の形状が露呈しないようにする。換言すれば、連続部３８は、照明本体１２を第２位置に位置させたときに、各放熱フィン３１〜３７が露呈しないように、各放熱フィン３１〜３７を覆い隠す部分である。これにより、例えば、照明器具１０の外観を向上させることができる。
【００５５】
図１２（ｂ）に表したように、連続部３８は、各放熱フィン３１〜３７の外周付近の一部分のみを連続させる。各放熱フィン３１〜３７は、連続部３８の端部３８ａよりも取付面２０ａ側まで延びている。連続部３８の光軸ＯＡ及び回転軸ＲＡに対して垂直な方向の厚さは、端部３８ａから取付面２０ａ側（照射窓１２ａ側）に向かって増加する。連続部３８の厚さは、例えば、連続的に増加する。これにより、例えば、放熱体２０の成形性を高めることができる。例えば、放熱体２０を型成形する際に、放熱体２０を型から抜き易くすることができる。また、例えば、連続部３８の裏側に熱が滞留してしまうことを抑制することができる。
【００５６】
各放熱フィン３１〜３７のそれぞれの端部３１ａ〜３７ａは、照明本体１２が第１位置に位置するときでも第２位置に位置するときでも、第１枠体４１の一端４１ｂから第１枠体４１及び第２枠体４２の外側に突出する（図１、図２（ａ）及び図２（ｂ）参照）。例えば、一端４１ｂが上端である場合、端部３１ａ〜３７ａは、一端４１ｂ及び一端４１ｂと同じ側の第２枠体４２の一端よりも上に配置される。
【００５７】
各放熱フィン３１〜３７のそれぞれの光軸ＯＡに沿う長さは、回転軸ＲＡに対して垂直で且つ回転軸ＲＡから光軸ＯＡに向かう方向において減少する。また、各放熱フィン３１〜３７のそれぞれの光軸ＯＡに沿う長さは、回転軸ＲＡに沿う方向（Ｘ軸方向）において、中心から離れるほど短くなる。すなわち、この例では、Ｘ軸方向の中心に位置する放熱フィン３４が最も長く、放熱フィン３１及び放熱フィン３７が最も短い。
【００５８】
これにより、照明本体１２が第１位置に位置するときでも第２位置に位置するときでも、各放熱フィン３１〜３７のそれぞれが、第２中心軸ＣＡ２に対して垂直な方向において第２枠体４２の本体部４２ｍの外側面４２ｇよりも内側に位置するようになる。換言すれば、各放熱フィン３１〜３７のそれぞれは、第２中心軸ＣＡ２に対して垂直な平面（Ｘ−Ｙ平面）に投影したときに、外側面４２ｇよりも内側に位置する。この例では、各放熱フィン３１〜３７のそれぞれが、第２中心軸ＣＡ２に対して垂直な方向において第２枠体４２の本体部４２ｍの外側面４２ｇよりも内側に位置する（図２（ａ）及び図２（ｂ）参照）。
【００５９】
これにより、例えば、照明器具１０の設置に必要となるスペースを省スペース化できる。例えば、天井裏に必要となるスペースを省スペース化できる。また、照明器具１０は、複数並べて設置される場合がある。このとき、放熱体２０が、外側面４２ｇよりも外側に突出していると、第２回転方向ＲＤ２に照明本体１２を回転させた際に、放熱体２０が、隣りの照明器具１０の放熱体２０に接触してしまう恐れがある。これに対して、本実施形態に係る照明器具１０では、放熱体２０が外側面４２ｇよりも内側に位置するので、複数の照明器具１０を並べて設置した場合にも、第２回転方向ＲＤ２の向きの調整を円滑に行うことができる。
【００６０】
また、本実施形態に係る照明器具１０では、上記のように光軸ＯＡに沿う長さを調節することにより、照明本体１２が第２位置に位置するときに、各放熱フィン３１〜３７のそれぞれが、第１枠体４１に接触しない（図２（ｂ）参照）。
【００６１】
これにより、照明本体１２が第２位置に位置するときに、照明本体１２と第１枠体４１との間に隙間が生じる。例えば、室内側から天井裏へと抜ける空気の通り道ができ、照明本体１２が第２位置に位置するときの放熱効率をより高めることができる。
【００６２】
図１３は、実施形態に係るフィルタを表す模式的斜視図である。  
図１３は、照明本体１２に対して着脱自在に取り付けられるフィルタ８０を表す。  
図１３に表したように、フィルタ８０は、円板状のフィルタ本体８１と、複数の係合爪８２と、を有する。フィルタ８０は、例えば、可視光の、特定の波長をカットして演色性を高める演色性フィルタである。フィルタ８０は、例えば、ＮＤフィルタやカラーフィルタなどの他の光学フィルタでもよい。
【００６３】
フィルタ本体８１の直径は、例えば、保持枠２１の各フィルタ取付部２１ｆの設けられた部分の内径と実質的に同じである。フィルタ本体８１の側面８１ｓは、例えば、テーパ面である。側面８１ｓの角度は、例えば、保持枠２１のテーパ面の部分２１ｔの角度と実質的に同じである。
【００６４】
複数の係合爪８２は、保持枠２１の複数のフィルタ取付部２１ｆに対応して設けられる。従って、この例では、２つの係合爪８２が設けられる。各係合爪８２は、フィルタ本体８１の側面８１ｓから径方向に突出して設けられる。この例では、各係合爪８２が、矩形状である。各係合爪８２の形状は、各フィルタ取付部２１ｆへの取り付けが可能な任意の形状でよい。各係合爪８２の位置は、各フィルタ取付部２１ｆの位置に対応する。この例では、各係合爪８２が、フィルタ本体８１の中心を挟んで互いに対称となる位置に設けられる。各係合爪８２には、半球状の凸部８２ａが設けられている。凸部８２ａは、係合爪８２の光軸方向を向く面上に設けられる。
【００６５】
図１４（ａ）及び図１４（ｂ）は、実施形態に係る保持枠を表す模式的斜視図である。  図１４（ａ）及び図１４（ｂ）に表したように、フィルタ取付部２１ｆは、挿抜部８５と、係合溝８６と、を有する。
【００６６】
挿抜部８５は、保持枠２１のテーパ面の部分２１ｔの一部を凹ませて光軸ＯＡと実質的に平行とした部分である。挿抜部８５の深さ（保持枠２１の内側面からの凹み量）は、フィルタ８０の係合爪８２の長さ（側面８１ｓからの突出量）に対応している。これにより、挿抜部８５では、係合爪８２を照射窓１２ａ側から光軸方向に挿抜することができる。挿抜部８５の底部８５ｂには、係合爪８２の凸部８２ａと係合する凹部８５ｃが設けられている。
【００６７】
係合溝８６は、挿抜部８５の底部８５ｂから円周方向に延びる。係合溝８６の高さは、係合爪８２の厚さよりも僅かに高い。係合溝８６には、係合爪８２の凸部８２ａと係合する凹部８６ｃが設けられている。
【００６８】
フィルタ８０を取り付ける場合には、各フィルタ取付部２１ｆの挿抜部８５に各係合爪８２を入り込ませて、フィルタ８０を保持枠２１内に挿通する。各係合爪８２を各挿抜部８５の底部８５ｂに押し当て、光軸周りにフィルタ８０を回転させる。各係合爪８２を各係合溝８６内に入り込ませ、各凸部８２ａと各凹部８６ｃとを係合させる。これにより、図１４（ｂ）に表したように、各係合爪８２と各係合溝８６との係合によってフィルタ８０の光軸方向への抜けが規制されるともに、各凸部８２ａと各凹部８６ｃとの係合によってフィルタ８０の光軸周りの回転が規制され、フィルタ８０が、各フィルタ取付部２１ｆに保持される。
【００６９】
フィルタ８０を取り外す場合には、フィルタ８０を取り付け時と反対方向に回転させて各係合爪８２を各係合溝８６から引き抜き、各係合爪８２を各挿抜部８５から照射窓１２ａ側に引き抜く。
【００７０】
このように、照明器具１０では、フィルタ８０を光軸周りに回転させるだけの簡単な操作で、フィルタ８０を保持枠２１に容易に着脱することができる。また、各係合爪８２と各係合溝８６との係合、及び、各凸部８２ａと各凹部８６ｃとの係合によって、フィルタ８０を各フィルタ取付部２１ｆに適切に保持させることができる。なお、上記とは反対に、係合爪８２に凹部を設け、挿抜部８５及び係合溝８６に凸部を設けてもよい。また、凸部の形状は、半球状に限ることなく、係合が可能な任意の形状でよい。
【００７１】
本実施形態に係る照明器具１０では、照明本体１２を第２位置に位置させた際に、照射窓１２ａが、第１枠体４１の一端４１ａから第１枠体４１の外側に突出し、器具自体や天井板などの取付対象によって、照射光が遮られてしまうことを抑えることができる。これにより、本実施形態に係る照明器具１０では、より効率的に光を対象物に照射することができる。また、例えば、フランジ部６０の下面などで照射光の一部が反射し、所望しない方向に照射光が拡散してしまうことを抑制することができる。
【００７２】
また、照明器具１０では、第１枠体４１を縦長の筒状にしている。これにより、例えば、照明本体１２を第２回転方向ＲＤ２に回転させて照射光の向きを調整する際の第１枠体４１の変形を抑制し、第２回転方向ＲＤ２の向きの調整を円滑に行うことができる。
【００７３】
本実施形態に係る支持部１４では、第１回転方向ＲＤ１及び第２回転方向ＲＤ２に回転自在に照明本体１２を支持している。支持部１４は、第１回転方向ＲＤ１のみに回転自在に照明本体１２を支持してもよい。この場合には、例えば、第１枠体４１にフランジ部を設け、第１枠体４１を化粧枠として用いればよい。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１０…照明器具、１２…照明本体、１２ａ…照射窓、１４…支持部、２０…放熱体、２１…保持枠、２１ｆ…フィルタ取付部、２２…基板、２３…レンズユニット、２５…光源、２６…レンズ、２７…ヒンジ部、２８ａ、２８ｂ…シャフト、３１〜３７…放熱フィン、３８…連続部、４１…第１枠体、４２…第２枠体、４３…抜け止め部材、４４…回転止め部材、４５…ネジ、５１、５２…軸受け部、６０…フランジ部、６１…バネ取付部、６２…リブ、６３…トーションバネ、６６…回転止め取付部、６７、６８…突起、８０…フィルタ、８１…フィルタ本体、８２…係合爪、８５…挿抜部、８６…係合溝
【図１】
2014130757.tif 000003
【図２】
2014130757.tif 000004
【図３】
2014130757.tif 000005
【図４】
2014130757.tif 000006
【図５】
2014130757.tif 000007
【図６】
2014130757.tif 000008
【図７】
2014130757.tif 000009
【図８】
2014130757.tif 000010
【図９】
2014130757.tif 000011
【図１０】
2014130757.tif 000012
【図１１】
2014130757.tif 000013
【図１２】
2014130757.tif 000014
【図１３】
2014130757.tif 000015
【図１４】
2014130757.tif 000016